(57)【要約】【課題】  発光管、主反射鏡および副鏡を備えたランプ装置において、発光管の点灯性を向上させるために設けるトリガー線に起因する照射光量の減少を抑制する。【解決手段】  電極１２ａ，１２ｂを内蔵したバルブ部１１及び封止部１３ａ，１３ｂを有した発光管１０と、主反射鏡２０と、副鏡３０と、各封止部の端部から引き出された電極に導通するリード１５ａ，１５ｂと、主反射鏡２０に固着された側の封止部１３ａに巻き付けられた環状部５０ｃを有して該環状部５０ｃから延びるトリガー線５０とを備え、環状部５０ｃから延びるトリガー線５０が、バルブ部１１に非接触の態様でその近傍を通過し、さらに副鏡３０を固着している封止部１３ｂに沿ってその端部まで延び、そこでリード１５ｂと接続される配線経路を有しており、その配線経路が環状部５０ｃを除いて光軸を通る同一平面内にあり、かつ光軸に対して同じ方向の面内にあるランプ装置。【選択図】  図３
2005283706.tif 000002
【特許請求の範囲】
【請求項１】
一対の電極が封入されたバルブ部と、前記電極を先端に有した電極軸及び前記電極軸に導通する導体箔を封止し前記バルブ部から連続して形成された一対の封止部とを備えた発光管と、
前記一対の封止部の一方を固着して前記発光管から射出された光を被照明領域側に反射する主反射鏡と、
前記バルブ部を挟んで前記一対の封止部の他方に固着され前記バルブ部から射出された光を前記主反射鏡に戻す副鏡と、
前記金属箔に接続されて各封止部の端部から引き出されたリードと、
前記主反射鏡に固着された側の封止部に巻き付けられた環状部を有して該環状部から延びるトリガー線とを備え、
前記環状部から延びるトリガー線が、前記バルブ部に非接触の態様でその近傍を通過し、さらに前記副鏡を固着している側の封止部に沿ってその端部まで延び、該端部から引き出されているリードと接続されるという配線経路を有しており、
前記配線経路が前記環状部を除いて光軸を通る同一平面内にあり、かつ光軸に対して同じ方向の面内にあることを特徴とするランプ装置。
【請求項２】
前記環状部を、前記バルブ部と前記主反射鏡との間で光線が通過しない領域の前記バルブ部近傍に配置したことを特徴とする請求項１記載のランプ装置。
【請求項３】
前記バルブ部近傍を通過する前記トリガー線を、前記主反射鏡に固着された側の封止部と前記バルブ部との境界部付近から前記副鏡の最大外径部近傍へ向けて配線したことを特徴とする請求項１又は２記載のランプ装置。
【請求項４】
前記主反射鏡からの反射光が通過する前記副鏡の周囲領域では、前記トリガー線を前記反射光の光路とほぼ平行に配線したことを特徴とする請求項１ないし３のいずれかに記載のランプ装置。
【請求項５】
一対の電極が封入されたバルブ部と、前記電極を先端に有した電極軸及び前記電極軸に導通する導体箔を封止し前記バルブ部から連続して形成された一対の封止部とを備えた発光管と、
前記一対の封止部の一方を固着して前記発光管から射出された光を被照明領域側に反射する主反射鏡と、
前記バルブ部を挟んで前記一対の封止部の他方に固着され前記バルブ部から射出された光を前記主反射鏡に戻す副鏡と、
前記金属箔に接続されて各封止部の端部から引き出されたリードと、
前記主反射鏡に固着された側の封止部に巻き付けられた環状部を有して該環状部から延びるトリガー線とを備え、
前記環状部を前記バルブ部と前記主反射鏡との間で光線が通過しない領域の前記バルブ部近傍に配置し、前記環状部から延びるトリガー線を前記バルブ部と前記主反射鏡との間で光線が通過しない領域のみを利用して前記主反射鏡側に伸ばし、前記主反射鏡の反射面域外に設けた貫通部からその反射面側と反対の主反射鏡背面側に引き出す配線とし、
前記主反射鏡背面側に引き出されたトリガー線を、一端が前記副鏡を固着している側の封止部の前記リードに接続され他端が主反射鏡の反射域外に引き出された延長リードと接続したことを特徴とするランプ装置。
【請求項６】
前記環状部は、リング形状、フック形状、又はばね形状のいずれかであることを特徴とする請求項１ないし５のいずれかに記載のランプ装置。
【請求項７】
前記トリガー線を、直径が０．３ｍｍ以下でかつ耐熱温度が１０００℃以上の耐熱導線としたことを特徴とする１ないし６のいずれかにランプ装置。
【請求項８】
光源と、前記光源から射出された光束を画像情報に応じて変調し画像を形成する光変調装置と、前記画像を投写する投写レンズとを備えたプロジェクタにおいて、
前記光源として請求項１ないし７のいずれかに記載のランプ装置を備えたことを特徴とするプロジェクタ。
【発明の詳細な説明】
【技術分野】
【０００１】
本発明は、副鏡を備えたランプ装置並びにそのランプ装置を備えたプロジェクタに関する。
【背景技術】
【０００２】
従来より、一対の電極を内蔵したバルブ部を有する発光管と、発光管から射出された光を所定の方向に向ける主反射鏡とを備えたランプ装置に、バルブ部を挟んで主反射鏡と反射面を対向させた副鏡を設けて、光の有効利用を図ったランプ装置がある（例えば、特許文献１）。
また、従来より、導体であるトリガー線の一端を発光管の一方の電極に近接する部位の発光管表面に巻き付け、トリガー線の他端を発光管の他方の電極から導出した外部リードに接続して、点灯性の向上を図ったランプ装置がある（例えば、特許文献２）。
【特許文献１】特開平８−３１３８２号公報（第２頁、図１）
【特許文献２】特開平８−６９７７７号公報（第３頁、図１）
【発明の開示】
【発明が解決しようとする課題】
【０００３】
上記のように、トリガー線は発光管の点灯性を向上させるために有効なものであるが、一方で、トリガー線の配線態様によってはそれが遮光部材として作用し、ランプ装置からの照射光量を減少させる一因となっている。
本発明は上記課題に鑑みてなされたもので、発光管、主反射鏡及び副鏡を備えたランプ装置において、発光管の点灯性を向上させるために設けるトリガー線に起因する照射光量の減少をできるだけ抑制したランプ装置並びにそのランプ装置を備えたプロジェクタを提供することを目的とする。
【課題を解決するための手段】
【０００４】
本発明のランプ装置は、一対の電極が封入されたバルブ部と、前記電極を先端に有した電極軸及び前記電極軸に導通する導体箔を封止し前記バルブ部から連続して形成された一対の封止部とを備えた発光管と、前記一対の封止部の一方を固着して前記発光管から射出された光を被照明領域側に反射する主反射鏡と、前記バルブ部を挟んで前記一対の封止部の他方に固着され前記バルブ部から射出された光を前記主反射鏡に戻す副鏡と、前記金属箔に接続されて各封止部の端部から引き出されたリードと、前記主反射鏡に固着された側の封止部に巻き付けられた環状部を有して該環状部から延びるトリガー線とを備え、前記環状部から延びるトリガー線が、前記バルブ部に非接触の態様でその近傍を通過し、さらに前記副鏡を固着している側の封止部に沿ってその端部まで延び、該端部から引き出されているリードと接続されるという配線経路を有しており、前記配線経路が前記環状部を除いて光軸を通る同一平面内にあり、かつ光軸に対して同じ方向の面内にあることを特徴とする。
以上のランプ装置によれば、トリガー線の遮光材として作用する総面積が小さくなり、トリガー線に起因するランプ装置の照射光低減を抑制できる。
【０００５】
なお、前記環状部は、前記バルブ部と前記主反射鏡との間で光線が通過しない領域の前記バルブ部近傍に配置するのが好ましい。こうすることで、点灯性向上というトリガー線の本来の効果が得られやすく、環状部による光線の遮光も回避できる。
【０００６】
また、前記バルブ部近傍を通過する前記トリガー線を、前記主反射鏡に固着された側の封止部と前記バルブ部との境界部付近から前記副鏡の最大外径部近傍へ向けて配線するのが好ましい。これにより、トリガー線の配線量、特に入射光と反射光とが混在する領域における配線量がより少なくなり、トリガー線の遮光材としての作用を抑制できる。
【０００７】
前記主反射鏡からの反射光が通過する前記副鏡の周囲領域では、前記トリガー線を前記反射光の光路とほぼ平行に配線するのが好ましい。これによれば、トリガー線の遮光材として作用する面積が小さくなり、従ってトリガー線に起因する遮光量を低く抑えることができる。
【０００８】
本発明のランプ装置はまた、一対の電極が封入されたバルブ部と、前記電極を先端に有した電極軸及び前記電極軸に導通する導体箔を封止し前記バルブ部から連続して形成された一対の封止部とを備えた発光管と、前記一対の封止部の一方を固着して前記発光管から射出された光を被照明領域側に反射する主反射鏡と、前記バルブ部を挟んで前記一対の封止部の他方に固着され前記バルブ部から射出された光を前記主反射鏡に戻す副鏡と、前記金属箔に接続されて各封止部の端部から引き出されたリードと、前記主反射鏡に固着された側の封止部に巻き付けられた環状部を有して該環状部から延びるトリガー線とを備え、前記環状部を前記バルブ部と前記主反射鏡との間で光線が通過しない領域の前記バルブ部近傍に配置し、前記環状部から延びるトリガー線を前記バルブ部と前記主反射鏡との間で光線が通過しない領域のみを利用して前記主反射鏡側に伸ばし、前記主反射鏡の反射面域外に設けた貫通部からその反射面側と反対の主反射鏡背面側に引き出す配線とし、前記主反射鏡背面側に引き出されたトリガー線を、一端が前記副鏡を固着している側の封止部の前記リードに接続され他端が主反射鏡の反射域外に引き出された延長リードと接続したことを特徴とする。
このランプ装置の場合には、トリガー線がランプ装置の光通過領域に入ることがないため、トリガー線による照射光の遮光は完全に回避される。
【０００９】
なお、前記環状部は、リング形状、フック形状、又はばね形状のいずれかにしてよい。
また、前記トリガー線は、直径が０．３ｍｍ以下でかつ耐熱温度が１０００℃以上の耐熱導線とするのが好ましい。これは、トリガー線に起因する遮光面積を少なくするとともに、バルブ部付近での高熱に耐えうるためである。  
【００１０】
本発明のプロジェクタは、光源と、前記光源から射出された光束を画像情報に応じて変調し画像を形成する光変調装置と、前記画像を投写する投写レンズとを備えたプロジェクタにおいて、前記光源として上記いずれかのランプ装置を備えたことを特徴とする。
【発明を実施するための最良の形態】
【００１１】
〔ランプ装置〕
図１は本発明に用いるランプ装置の構成を示す断面図である。このランプ装置１は、発光管１０と、主反射鏡２０と、副鏡３０とを備えてなる。
発光管１０は例えば高圧水銀ランプであり、石英ガラス等によって形成され、中央のバルブ部１１と、バルブ部１１の両側にバルブ部１１から連続して形成された一対の封止部１３ａ、１３ｂとを有する。バルブ部１１の内部には、水銀、希ガス及び少量のハロゲン等が封入され、放電用電極１２ａ、１２ｂが封入されている。封止部１３ａ、１３ｂには、電極１２ａ、１２ｂが先端に形成されたタングステン等からなる電極軸１２Ａ，１２Ｂと、電極軸１２Ａ，１２Ｂに導通する導体であるモリブデン等からなる金属箔１４ａ、１４ｂが密封され、金属箔１４ａ、１４ｂからは電力供給用リード（線又は端子）１５ａ，１５ｂが封止部１３ａ、１３ｂの各終端面から引き出されている。なお、ここでは封止部１３ａの端部に口金１６を設けた例を示しているが、口金１６無しの態様としてもよい。また、発光管１０は高圧水銀ランプに限られるものではなく、他のランプ、例えばメタルハライドランプやキセノンランプ等でもよい。
【００１２】
主反射鏡２０は、回転放物面状や回転楕円面状に形成された凹面状反射面２１を有した反射基部２２と、発光管１０の一方の封止部１３ａを挿入して固定するための筒部２３を備える。筒部２３は反射面２１及び反射基部２２の中心から反射面２１の反対側に延長された筒状体であり、その内側に反射面２１の回転中心と同軸の貫通孔２４を有している。反射基部２２と筒部２３は、通常、耐熱ガラスによって一体的に漏斗状に形成されている。発光管１０は、そのバルブ部１１が主反射鏡２０の反射面２１側に来るように、封止部１３ａが主反射鏡２０の筒部２３に反射面２１側から挿入されて、接着剤４０により固着されている。
【００１３】
副鏡３０は、バルブ部１１から射出した光を反射して主反射鏡２０に戻す作用をなすものであり、反射面３１が形成されたカップ状の反射基部３２と、反射基部３２から反射面３１側と反対方向に延長されて封止部１３ｂを挿入可能に形成された筒部３３とを備える。この副鏡３０は、発光管１０のバルブ部１１を挟んで主反射鏡２０と互いの反射面２１，３１を対向させた状態で、発光管１０の封止部１３ｂに接着剤４０により固着されている。
なお、バルブ部１１の外周面と副鏡３０の反射面との間には、光源像と反射像の位置関係ができる程度の間隔、すなわち０．２ｍｍ以上の隙間を設けるのがよい。これにより、副鏡３０で覆われている側のバルブ部１１の放熱が確保され、発光管１０の局所的な温度上昇を抑制することができる。また、副鏡３０は高温に晒されるため、例えば、低熱膨張材である石英又はネオセラムや、高熱伝導材である透光性アルミナ、サファイア、水晶、蛍石、ＹＡＧ等を利用して製作するのるが好ましい。透光性アルミナとしては、例えば、「スミコランダム」が利用できる（「スミコランダム」は住友化学工業の登録商標）。
【００１４】
副鏡３０を発光管１０の封止部１３ｂに固着する接着剤４０や、封止部１３ａを主反射鏡２０の筒部２３に固着する接着剤４０には、シリカ系やアルミナ系の無機接着剤が利用できる。このような接着剤の具体的なものとしては、例えば「スミセラム」が上げられる（「スミセラム」は住友化学工業（株）の登録商標）。
【００１５】
図２は図１のランプ装置における光通過状況の説明図である。ランプ装置における光通過状況は次のようになっている。封止部１３ａの周囲でかつ主反射鏡２０の中心付近の領域Ａは、バルブ部１１から光が射出されない領域であり光線の通過はない。領域Ｂはバルブ部１１からの射出光が直接及び副鏡３０を介して主反射鏡２０に入射する入射光のみが通過する領域である。領域Ｃはバルブ部１１からの射出光が直接及び副鏡３０を介して主反射鏡２０に入射する入射光と、その入射光が主反射鏡２０で反射された出射光とが共存する領域である。領域Ｄは主反射鏡２０で反射された光線が通過する領域である。領域Ｅは主反射鏡２０の反射領域の外側領域であって光線が通過しない領域である。領域Ｆは副鏡３０によって遮光される領域であり光線の通過がない領域である。なお、上記各領域は図２の光軸の下側部分にも同様に当てはまる。以上をふまえて、本発明の実施形態を以下に説明する。
【００１６】
実施形態１
図３は本発明の実施形態に係るランプ装置１の構成を示す断面図である。このランプ装置１は、図１のランプ装置に、発光管１０の点灯性を向上させるためのトリガー線５０と、リード１５ｂから主反射鏡２０の先端部背面側に延長された端子１８付き延長リード１７とを備えたものである。ここで、トリガー線５０は以下のように配線されている。
トリガー線５０の一端は、図７の（ａ）〜（ｃ）に示すようなリング形状又はフック形状、又は図８に示すようなばね形状の環状部５０ｃに形成されて、その環状部５０ｃが領域Ａに位置する封止部１３ａに巻き付けられている。そして、環状部５０ｃから延びるトリガー線５０は、バルブ部１１に非接触の態様でその近傍を通過し、さらに副鏡３０を固定している側の封止部１３ｂに沿ってその端部まで延び、該端部から引き出されているリード１５ｂと溶接や圧着により接続される、という配線経路を有している。この配線経路は、環状部５０ｃを除いて光軸を通る同一平面内にあり、かつ光軸に対して同じ方向の面内にある。なお、リード１５ｂと延長リード１７とを分けずに、連続した一本のリードとしてもよい。
【００１７】
図３におけるトリガー線５０の配線に際しては特に次のようにすることがに好ましい。
（１）領域Ａにおける環状部５０ｃの位置は、一対の電極１２ａ，１２ｂの放電による点灯性を向上させるべく、バルブ部１１と封止部１３ａとの境界部付近とする。
（２）トリガー線５０の総配線量、特に入射光と反射光が併存領域Ｃ中における配線量をできるだけ少なくするため、領域Ｂ及び領域Ｃの部分では、トリガー線５０を、バルブ部１１と封止部１３ａとの境界部付近から、副鏡３０の最大外径部（反射基部３２の先端部）近傍へ向けて配線する。
（３）副鏡３０の周囲であって主反射鏡２０からの反射光が通過する領域Ｄの部分では、トリガー線５０を副鏡３０の近傍に沿って配線してその配線量をできるるだけ少なくするとともに、主反射鏡２０からの反射光の光路とほぼ平行に配線して、トリガー線５０による遮光面積を小さくする。  
（４）副鏡３０の外径が最大外径部より小さくなる副鏡３０の背面域から封止部１３ｂの端部までは、トリガー線５０を領域Ｆ内において配線する。従って、できるだけ封止部１３ｂに沿って配線するのがよい。
【００１８】
以上のように構成したランプ装置１は、バルブ部１１から射出した光が、直接又は副鏡３０を介して主反射鏡２０により反射されて、被照明領域側に照射されるため、光の利用効率が向上する。また、トリガー線５０があるため、発光管１０の点灯性が向上する。さらに、トリガー線５０に起因するランプ装置１の照射光量の減少が最小限に抑制される。
【００１９】
実施形態２
図４は本発明の別の実施形態に係るランプ装置１Ａの構成を示す断面図である。このランプ装置１Ａは図３のランプ装置１と基本的に同じものであり、トリガー線５０の配線経路においてそれと相違している。ここでも、トリガー線５０の環状部５０ｃは、バルブ部１１と主反射鏡２０との間で光線が通過しない領域Ａのバルブ部１１近傍に配置している。そして、環状部５０ｃから延びるトリガー線５０を、バルブ部１１と主反射鏡２０との間で光線が通過しない領域Ａのみを利用して主反射鏡２０側に伸ばし、主反射鏡２０の反射面２１域外となっている筒部付近に設けた貫通部（この場合は通し孔２５）から、その反射面２１側と反対の主反射鏡２０背面側に引き出す配線としている。そしてこのトリガー線５０を、一端が封止部１３ｂのリード１５ｂに接続され他端が主反射鏡２０の反射域外に引き出された延長リード１７に溶接等により接続したものである。なお、トリガー線５０を主反射鏡２０の反射面２１側からその背面側へ通す貫通部は、図４及び図５（ａ）に示すような通し孔２５の他、図５（ｂ）に示すような通し溝２６としてもよい。
【００２０】
このランプ装置１Ａは、バルブ部１１から射出した光が、直接又は副鏡３０を介して主反射鏡２０により反射されて、被照明領域側に照射されるため、光の利用効率が向上する。また、トリガー線５０により、発光管１０の点灯性が向上する。さらに、このランプ装置１Ａの場合には、トリガー線５０がランプ装置１Ａの光通過領域に入ることがないため、トリガー線５０による照射光の遮光は完全に回避される。
【００２１】
実施形態３
図６は本発明のさらに別の実施形態に係るランプ装置１Ｂの構成を示す断面図である。このランプ装置１Ｂは、トリガー線５０を主反射鏡２０の反射面２１側からその背面側へ通す貫通部として、封止部１３ａを挿入して固着する貫通孔２４を利用したものであり、その他の点では、図４のランプ装置１Ａと基本的に同じものである。このようにすることで、主反射鏡２０に対してトリガー線通し孔等を別途設ける必要がなくなる。ただし、封止部１３ａの端部に設けていた口金を無くし、また貫通孔２４内ではトリガー線５０を貫通孔２４の壁面近くに位置させる等の絶縁対策が必要となる。このランプ装置１Ｂはランプ装置１Ａとほぼ同様の作用効果を奏する。
【００２２】
ところで、上記各実施形態で説明したトリガー線５０は、遮光面積をより小さくする観点から、その直径を０．３ｍｍ以下とし、また、バルブ部１１の温度が１０００℃ぐらいまで上昇することを考慮して、１０００℃以上の耐熱性を有する耐熱導線とするのが好ましい。このようなものとして、例えば、アルミ（Ａｌ）、クロム（Ｃｒ）、鉄（Ｆｅ）とを主成分とした電熱線がある。
【００２３】
また、上記各実施形態で説明したトリガー線５０の環状部５０ｃとしては、図７、図８に示すような形態とすることができる。図７（ａ）は環状部５０ｃをリング状に形成し、環状部５０ｃとそこから延びるトリガー線５０とを溶接により接続したものである。また、図７（ｂ）はトリガー線５０の端部を折り曲げてリング状に形成しその折り曲げ終端部をトリガー線５０自身にねじり結合したものである。また、図７（ｃ）はトリガー線５０の先端部を折り曲げてフック状に形成したものである。更に、図８（ａ）はトリガー線５０の先端部を封止部１３ａに複数回巻き付けたばね形成としたもので、図８（ｂ）がそのばね形状の環状部５０ｃを備えたランプ装置１Ｃの全体図である。環状部５０ｃはこれらのいずれの形態としてもよいが、それを前述の領域Ａの中に位置させて遮光材として作用しないようにするのが好ましい。
【００２４】
〔プロジェクタ〕
図９は本発明の実施形態に係るプロジェクタ１００の構成図である。このプロジェクタ１００は、照明光学系３００と、色光分離光学系３８０と、リレー光学系３９０と、液晶パネル４１０Ｒ，４１０Ｇ，４１０Ｂと、クロスダイクロイックプリズム４２０と、投写レンズ６００等を備えている。
【００２５】
次に、上記プロジェクタ１００の作用を説明する。
照明光学系３００は、液晶パネル４１０Ｒ，４１０Ｇ，４１０Ｂの画像形成領域をほぼ均一に照明するためのインテグレータ照明光学系であり、実施形態１のランプ装置１と、第１レンズアレイ３２０と、第２レンズアレイ３４０と、偏光変換素子アレイ３６０と、重畳レンズ３７０とを備える。なお、ランプ装置１に代えて、先に説明したランプ装置１Ａ〜１Ｃのいずれかを採用してもよい。
まず、発光管１０からの出射光は反射鏡２０、又は副鏡３０及び反射鏡２０によって被照明領域側に反射されて、凹レンズ２００に入り光の進行方向が照明光学系３００の光軸とほぼ平行に調整される。
【００２６】
平行化された光は、第１レンズアレイ３２０の各小レンズ３２１に入射し、小レンズ３２１の数に応じた複数の部分光束に分割される。さらに、第１レンズアレイ３２０を出た各部分光束は、その各小レンズ３２１にそれぞれ対応した小レンズ３４１を有してなる第２レンズアレイ３４０に入射する。
【００２７】
そして、第２レンズアレイ３４０からの出射光は、光の偏向方向を同じ種類の直線偏光光にそろえる偏光変換素子アレイ３６０に入射する。そして、偏光変換素子アレイ３６０で偏光方向が揃えられた複数の部分光束は重畳レンズ３７０に入り、そこで液晶パネル４１０Ｒ、４１０Ｇ、４１０Ｂに入射する各部分光束が、対応するパネル面上で重さなり合うように調整される。
【００２８】
重畳レンズ３７０を出た光は、反射ミラー３７２で反射された後、色光分離光学系３８０に入射する。色光分離光学系３８０は、照明光学系３００から射出された光を、赤、緑、青の３色の色光（色光成分）に分離する光学系であり、ダイクロイックミラー３８２，３８６と、反射ミラー３８４とを備える。
第１ダイクロイックミラー３８２は、重畳レンズ３７０から射出される光のうち赤色光を透過させるとともに、青色光と緑色光とを反射する。そして、赤色光は第１ダイクロイックミラー３８２を透過して反射ミラー３８４で反射され、フィールドレンズ４００Ｒを通って赤色光用の液晶パネル４１０Ｒに達する。また、第１ダイクロイックミラー３８２で反射された青色光及び緑色光のうち緑色光は第２ダイクロイックミラー３８６で反射され、フィールドレンズ４００Ｇを通って緑色光用の液晶パネル４１０Ｇに達する。
【００２９】
一方、青色光は、第２ダイクロイックミラー３８６を透過し、リレー光学系３９０に入射する。リレー光学系３９０は、色光分離光学系３８０のダイクロイックミラー３８６を透過した青色光を液晶パネル４００Ｂまで導く機能を有する光学系であり、入射側レンズ３９２と、リレーレンズ３９６と、反射ミラー３９４，３９８とを備える。
すなわち、青色光は、入射側レンズ３９２、反射ミラー３９４、リレーレンズ３９６、及び反射ミラー３９８を通り、さらにフィールドレンズ４００Ｂを通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４００Ｂに伝えるためである。また、リレー光学系３９０は、３つの色光のうちの青色光を通す構成としたが、赤色光等の他の色光を通す構成としてもよい。
【００３０】
続いて、３つの液晶パネル４１０Ｒ、４１０Ｇ、４１０Ｂが、そこに入射した各色光を与えられた画像情報に従って変調し、各色光の画像を形成する。なお、各液晶パネル４１０Ｒ、４１０Ｇ、４１０Ｂの光入射面側、光出射面側には、通常、偏光板が設けられている。
【００３１】
続いて、各液晶パネル４１０Ｒ、４１０Ｇ、４１０Ｂから射出された各色光の変調光は、これらの変調光を合成してカラー画像を形成する色光合成光学系としてのクロスダイクロイックプリズム４２０に入射する。クロスダイクロイックプリズム４２０には、赤色光を反射する誘電体多層膜と、青色光を反射する誘電体多層膜とが、４つの直角プリズムの界面に略Ｘ字状に形成され、これらの誘電体多層膜によって３つの色光が合成される。
そして、クロスダイクロイックプリズム４２０から射出されたカラー画像が、投写レンズ６００によってスクリーン上に拡大投写される。
【００３２】
このプロジェクタ１００は、前述したランプ装置１を備えているので、ランプ装置１の照射光量の損出が抑制されて、光利用率の高いプロジェクタとなっている。
なお、本発明のプロジェクタ１００は、上記実施形態に限られるものではなく、その要旨を逸脱しない範囲において種々の態様で実施することが可能であり、例えば次のような変形も可能である。
【００３３】
上記実施形態では、ランプ装置１からの射出光を複数の部分光束に分割する２つのレンズアレイ１２０，１３０を用いていたが、この発明は、このようなレンズアレイを用いないプロジェクタにも適用可能である。
上記実施形態では、透過型の液晶パネルを用いたプロジェクタを例に説明したが、本発明はこれに限定するものではなく、反射型の液晶パネルを用いたプロジェクタにも適用することが可能である。反射型の液晶パネルを用いたプロジェクタの場合、液晶パネルのみによって構成することが可能であり、一対の偏光板は不要である。また、反射型の液晶パネルを用いたプロジェクタでは、クロスダイクロイックプリズムは、照明光を赤、緑、青の３色の光に分離する色光分離手段として利用されると共に、変調された３色の光を再度合成して同一の方向に出射する色光合成手段としても利用される場合がある。また、クロスダイクロイックプリズムではなく、三角柱や四角柱状のダイクロイックプリズムを複数組み合わせたダイクロイックプリズムを用いる場合もある。反射型の液晶パネルを用いたプロジェクタにこの発明を適用した場合にも、透過型の液晶パネルを用いたプロジェクタとほぼ同様な効果を得ることができる。
また、変調装置として液晶パネルを３枚利用したプロジェクタを例に説明したが、液晶パネルを１枚、２枚、あるいは４枚以上使用する構成のプロジェクタにも、本発明は適用できる。
【００３４】
また、入射光を変調して画像を生成する光変調装置は液晶パネルに限られるものではなく、例えば、マイクロミラーを用いた装置であってもよい。さらに、本発明のランプ装置は、投写面を観察する方向から画像投写を行なう前面投写型プロジェクタ、又は投写面を観察する方向とは反対側から画像投写を行なう背面投写型プロジェクタのいずれのプロジェクタにも適用可能である。
【図面の簡単な説明】
【００３５】
【図１】本発明に用いるランプ装置の構成を示す断面図。
【図２】図１のランプ装置における光通過状況の説明図。
【図３】本発明の実施形態に係るランプ装置の構成を示す断面図。
【図４】本発明の別の実施形態に係るランプ装置の構成を示す断面図。
【図５】図４のランプ装置に用いる主反射鏡の例を示す背面図。
【図６】本発明のさらに別の実施形態に係るランプ装置の構成を示す断面図。
【図７】トリガー線の環状部の形態例示図。
【図８】トリガー線の環状部にばね形状を採用したランプ装置の説明図。
【図９】本発明の実施形態に係るプロジェクタの構成図。
【符号の説明】
【００３６】
１，１Ａ，１Ｂ，１Ｃ…ランプ装置、１０…発光管、１１…バルブ部、１２ａ，１２ｂ…電極、１２Ａ，１２Ｂ…電極軸、１３ａ，１３ｂ…封止部、１４ａ，１４ｂ…金属箔、１５ａ,１５ｂ…リード（線又は端子）、１７…延長リード、１８…端子、２０…主反射鏡、２１…反射面、２２…反射基部、２３…筒部、２４…貫通孔、２５…通し孔、２６…通し溝、３０…副鏡、３１…副鏡の反射面、３２…副鏡の反射基部、３３…副鏡の筒部、
４０…接着剤、５０…トリガー線、５０ｃ…トリガー線の環状部、１００…プロジェクタ、３００…照明光学系、３８０…色光分離光学系、３９０…リレー光学系、４２０…クロスダイクロイックプリズム、６００…投写レンズ。
【図１】
2005283706.tif 000003
【図２】
2005283706.tif 000004
【図３】
2005283706.tif 000005
【図４】
2005283706.tif 000006
【図５】
2005283706.tif 000007
【図６】
2005283706.tif 000008
【図７】
2005283706.tif 000009
【図８】
2005283706.tif 000010
【図９】
2005283706.tif 000011